(57)【特許請求の範囲】
【請求項１】
電話機を公衆回線に接続したり切り離したりする電話機接続部と、
公衆回線に対してインピーダンス制御を行う網制御部と、
公衆回線を介して送出されるリンギング呼出信号の所定ヘルツの電話機鳴動信号を検出するリンギング検出部と、
前記リンギング検出部で検出された信号に対して着信応答条件が成立したかどうかを判定をするリンギング着信判定部と、
前記リンギング着信判定部で着信応答条件が成立したと判定されると着信応答信号を公衆回線側に送出するリンギング着信応答部と、
前記電話機のオフフックやオンフックを検出する電話機状態検出部と、
前記リンギング着信判定部での着信応答条件判定中に前記電話機状態検出部が電話機のオフフックを検出すると、前記網制御部をハイインピーダンスにした状態で公衆回線を介して送出されるあらかじめ決められた形式のアナログ信号を検出するＮＣＵ選択信号検出部と、
前記ＮＣＵ選択信号検出部で検出した信号を自端末の選択信号と判定し、リンギング着信判定部で着信応答条件が成立していない場合は、着信応答条件成立前にオフフックされた旨の着信応答信号を公衆回線側に送出するＮＣＵ応答信号出力部と
からなる回線端末装置。
【請求項２】
ＮＣＵ選択信号検出部で自端末の選択信号を検出した後、所定時間内に電話機のオンフックを電話機状態検出部で検出すると、回線が切断されないように網制御部をオフフックさせ、ＮＣＵ応答信号出力部から着信応答信号を公衆回線側に送出させる回線維持判定部を有する請求項１記載の回線端末装置。
【請求項３】
ＮＣＵ選択信号検出部が自端末の選択信号を検出した後で、所定時間内に再度この選択信号を検出すると、網制御部をオフフックして電話機接続部により電話機を公衆回線から切り離し、ＮＣＵ応答信号出力部から着信応答信号を公衆回線側に送出させるＮＣＵ第２選択信号検出部を有する請求項１記載の回線端末装置。
【請求項４】
ＮＣＵ応答信号出力部は複数の種類の応答信号を持ち、接続されている電話機が公衆回線をオフフックしている場合に応答する信号と、接続されている電話機が公衆回線をオフフックしていない場合に応答する信号との何れかの信号に変更して公衆回線側に送出するものである請求項１、２または３記載の回線端末装置。
【請求項５】
リンギング着信判定部は、リンギング検出部で検出された所定ヘルツの電話機鳴動信号の発生間隔が所定時間以上になると、リンギング着信応答条件の判定を開始するものである請求項１記載の回線端末装置。
【請求項６】
ＮＣＵ選択信号検出部が、ノーリンギング通信で使用されるＮＲＳ選択信号のデータに対応したデータ形式のアナログ信号を検出するように構成され、自端末のＮＲＳ選択信号データが設定されているＮＲＳ選択信号設定部を有すると共に、前記ＮＣＵ選択信号検出部で検出された信号と前記ＮＲＳ選択信号設定部で設定されているデータとを比較し、それらが一致した場合にＮＣＵ応答信号出力部から着信応答信号を公衆回線側に送出させる複数呼出判定部を有する請求項１記載の回線端末装置。
【発明の詳細な説明】
【０００１】
【発明の属する技術分野】
本発明は、公衆回線を利用したノーリンギング通信やリンギング通信により、ホームセキュリティ盤やガス遮断装置等のデータ端末装置の情報を収集する回線端末装置に関するものである。
【０００２】
【従来の技術】
図３に示すように、従来この種の回線端末装置１はデータ端末装置２の情報を公衆回線３と交換局４を介して中央監視装置５で収集するように構成されている。
【０００３】
ここでデータ端末装置２はマイクロコンピュータ内蔵の通信機能付き装置で、ガス需要家宅に取り付けられたガスメータに内蔵され、ガスの使用状態を電文で読み出せるようになっている。
【０００４】
８は端末インターフェース部で、データ端末装置２との間で電文の送受信を行う。９は中央制御部で、回線端末装置１の受信した電文の解析や全体の制御を行う。
【０００５】
またガス需要家宅の電話機６は通常、電話機接続部２２により公衆回線３に接続されている。また電話機接続部２２は中央制御部９からの制御により電話機６を公衆回線３に接続したり切り離したりできるようになっている。
【０００６】
また電話機状態検出部１９では、電話機６がオフフックされているかオンフックされているかを検出できるようになっている。
【０００７】
次に回線端末装置１のリンギング通信について説明する。
【０００８】
リンギング通信をする場合、回線端末装置１のリンギング着信判定部７に対してはあらかじめリンギング着信応答条件として、交換局４から送出されるリンギング呼出信号の１６Ｈｚ（所定ヘルツ）の電話機鳴動信号の検出回数を設定しておく。
【０００９】
リンギング通信は中央監視装置５からの発信によって開始され、発信を受けた交換局４では回線端末装置１が接続されている公衆回線３に対して、極性反転に続いて３秒周期で１秒間１６Ｈｚの電話機鳴動信号を重畳させたリンギング呼出信号を送出する。この１６Ｈｚ電話機鳴動信号により電話機６が鳴動する。
【００１０】
次に交換局４から２秒以内に１６Ｈｚ電話機鳴動信号が発生するので、回線端末装置１のリンギング検出部１６は１６Ｈｚ電話機鳴動信号が到来している間はリンギング信号検出状態を出力する。
【００１１】
リンギング検出部１６で１６Ｈｚ電話機鳴動信号を検出すると、リンギング着信判定部７は着信発生回数をカウントアップして、設定された着信応答条件が成立したかどうかを判定する。
【００１２】
交換局４からのリンギング呼出信号が継続し、リンギング着信判定部７で設定回数に達したと判定されると、中央制御部９は網制御部１４を閉結状態（オフフック）にし、公衆回線３及び交換局４と直流ループを形成して回線端末装置１の回線を捕捉する。
【００１３】
回線が捕捉されると交換局４ではリンギング呼出信号の送出を止め、中央監視装置５に対して回線が接続されたことを知らせる。
【００１４】
また中央制御部９は、回線端末装置１の回線が捕捉されたことを発信者（この場合は中央監視装置５）へ知らせるため、リンギング着信応答部１８から公衆回線３及び交換局４経由で中央監視装置５へ着信応答信号を送出させる。
【００１５】
着信の確認ができた中央監視装置５は、公衆回線３及び交換局４経由で回線端末装置１あるいはデータ端末装置２に対してモデム信号形式の電文を送信する。この電文は回線端末装置１の送受信部１５で復調されて中央制御部９で受信される。中央制御部９は受信した電文が回線端末装置１自身への電文の場合、応答電文を作成し、送受信部１５で変調してモデム信号形式で、中央監視装置５へ送信する。
【００１６】
また受信した電文がデータ端末装置２への電文の場合、中央制御部９はデータ端末装置２に適した形式に電文を変換してから端末インターフェース部８を介してデータ端末装置２へ送信する。
【００１７】
データ端末装置２からの応答電文を端末インターフェース部８を介して中央制御部９が受信すると、中央監視装置５に適した形式の電文に変換して送受信部１５で変調して中央監視装置５へ送信する。
【００１８】
以降、中央監視装置５と回線端末装置１及びデータ端末装置２の間で電文の送受信を繰り返す。
【００１９】
通信を終了する場合は、中央監視装置５は通信終了電文を回線端末装置１へ送信する。
【００２０】
この通信終了電文を受信した中央制御部９では通信終了応答電文を中央監視装置５へ送信した後、網制御部１４により直流ループを開放（オンフック）し交換局４に対して回線を切断して通信を終了する。
【００２１】
【発明が解決しようとする課題】
しかしながら、上記従来のような構成では、在宅者がいる時に中央監視装置５からリンギング通信を行った場合、リンギング着信応答条件として設定された１６Ｈｚ電話機鳴動信号の回数が発生する前に、在宅者が電話機６をオフフックすると交換局４はリンギング呼出信号を停止するので、リンギング着信判定部７で着信応答条件不成立と判定され、リンギング着信ができないという課題を有していた。
【００２２】
【課題を解決するための手段】
本発明は上記課題を解決するために、電話機を公衆回線に接続したり切り離したりする電話機接続部と、公衆回線に対してインピーダンス制御を行う網制御部と、公衆回線を介して送出されるリンギング呼出信号の所定ヘルツの電話機鳴動信号を検出するリンギング検出部と、前記リンギング検出部で検出された信号に対して着信応答条件が成立したかどうかを判定をするリンギング着信判定部と、前記リンギング着信判定部で着信応答条件が成立したと判定されると着信応答信号を公衆回線側に送出するリンギング着信応答部と、前記電話機のオフフックやオンフックを検出する電話機状態検出部と、前記リンギング着信判定部での着信応答条件判定中に前記電話機状態検出部が電話機のオフフックを検出すると、前記網制御部をハイインピーダンスにした状態で公衆回線を介して送出されるあらかじめ決められた形式のアナログ信号を検出するＮＣＵ選択信号検出部と、前記ＮＣＵ選択信号検出部で検出した信号を自端末の選択信号と判定し、リンギング着信判定部で着信応答条件が成立していない場合は、着信応答条件成立前にオフフックされた旨の着信応答信号を公衆回線側に送出するＮＣＵ応答信号出力部とを有するものである。
【００２３】
上記発明によれば、リンギング通信開始により公衆回線を介してリンギング呼出信号が送出されると、リンギング検出部でリンギング呼出信号中の所定ヘルツの電話機鳴動信号が検出される。その後、リンギング着信判定部で着信応答条件の判定が成立する前に回線端末装置に接続されている電話機がオフフックされると、電話機状態検出部で電話機のオフフックが検出され、網制御部はハイインピーダンスになる。この時、あらかじめ決められた形式のアナログ信号が公衆回線を介して送出されると、その信号はＮＣＵ選択信号検出部で検出され、自端末の選択信号と判定されるとＮＣＵ応答信号出力部から着信応答信号が公衆回線に送出されて通信が可能な状態になる。つまり回線端末装置に接続されている電話機がオフフックされても、公衆回線側とリンギング着信可能となる。
【００２４】
【発明の実施の形態】
本発明の回線端末装置は、電話機を公衆回線に接続したり切り離したりする電話機接続部と、公衆回線に対してインピーダンス制御を行う網制御部と、公衆回線を介して送出されるリンギング呼出信号の所定ヘルツの電話機鳴動信号を検出するリンギング検出部と、前記リンギング検出部で検出された信号に対して着信応答条件が成立したかどうかを判定をするリンギング着信判定部と、前記リンギング着信判定部で着信応答条件が成立したと判定されると着信応答信号を公衆回線側に送出するリンギング着信応答部と、前記電話機のオフフックやオンフックを検出する電話機状態検出部と、前記リンギング着信判定部での着信応答条件判定中に前記電話機状態検出部が電話機のオフフックを検出すると、前記網制御部をハイインピーダンスにした状態で公衆回線を介して送出されるあらかじめ決められた形式のアナログ信号を検出するＮＣＵ選択信号検出部と、前記ＮＣＵ選択信号検出部で検出した信号を自端末の選択信号と判定し、リンギング着信判定部で着信応答条件が成立していない場合は、着信応答条件成立前にオフフックされた旨の着信応答信号を公衆回線側に送出するＮＣＵ応答信号出力部とを有するものである。
【００２５】
この構成によれば、発信者からのリンギング通信開始により公衆回線からリンギング呼出信号が送出されると、リンギング検出部はリンギング呼出信号中の所定ヘルツの電話機鳴動信号を検出する。その後、リンギング着信判定部で着信応答条件の判定が成立する前に回線端末装置に接続されている電話機がオフフックされると、電話機状態検出部が電話機のオフフックを検出し、網制御部をハイインピーダンスにする。この時、あらかじめ決められた形式のアナログ信号が公衆回線を介して送出されると、その信号をＮＣＵ選択信号検出部が検出し、自端末の選択信号と判定した場合は着信応答信号をＮＣＵ応答信号出力部から返すので、それ以降はリンギング着信が可能な状態になる。
【００２６】
また本発明において、ＮＣＵ選択信号検出部で自端末の選択信号を検出した後、所定時間内に電話機のオンフックを電話機状態検出部で検出すると回線が切断されないように網制御部をオフフックさせ、ＮＣＵ応答信号出力部から着信応答信号を公衆回線側に送出させる回線維持判定部を有する構成にすると好適である
。
【００２７】
この構成によれば、ＮＣＵ選択信号検出部で自端末の選択信号を検出した後、所定時間内に電話機がオンフックされても、電話機状態検出部がオンフックを検出して網制御部をオフフックするので、公衆回線の切断を防止することができる。また、回線維持判定部がＮＣＵ応答信号出力部から着信応答信号を公衆回線側に送出させることで、回線端末装置に接続された電話機がオンフックされたことを発信者に知らせることができ、電話機をオフフックした人に対しての発信者側の配慮が不要になり、すぐに回線端末装置との通信に入ることができる。
【００２８】
また本発明において、ＮＣＵ選択信号検出部が自端末の選択信号を検出した後で、所定時間内に再度この選択信号を検出すると、網制御部をオフフックして電話機接続部により電話機を公衆回線から切り離し、ＮＣＵ応答信号出力部から着信応答信号を公衆回線側に送出させるＮＣＵ第２選択信号検出部を有する構成にすると好適である。
【００２９】
この構成によれば、ＮＣＵ選択信号検出部で自端末の選択信号を検出した後、ＮＣＵ第２選択信号検出部でこの選択信号を再度検出すると、網制御部をオフフックして、回線端末装置に接続された電話機を切り離す。従って留守番電話機やＦＡＸの自動応答機能が付いた電話機がこの回線端末装置に接続され、発信者からのリンギング通信に対して自動応答した場合でも、発信者からＮＣＵ選択信号を再度送信すると電話機は回線から切り離されるので、発信者と回線端末装置間の通信に対して電話機の自動応答による影響を受けることなく、回線端末装置との通信にすぐに入ることができる。
【００３０】
また本発明において、ＮＣＵ応答信号出力部を、複数の種類の応答信号を持ち、接続されている電話機が公衆回線をオフフックしている場合に応答する信号と、接続されている電話機が公衆回線をオフフックしていない場合に応答する信号との何れかの信号に変更して公衆回線側に送出するように構成すると好適である。
【００３１】
この構成によれば、回線端末装置に接続されている電話機が公衆回線をオフフックしている状態とオフフックしてない状態で、ＮＣＵ応答信号出力部から送信する応答信号の種類を変えることで、発信者に電話機の接続状態を伝えることができる。従って発信者側では回線端末装置との通信にすぐに入れるか、電話機がオフフックされたことに対しての対応をすべきかの判断及び処理についての判断が即座に可能になる。
【００３２】
また本発明において、リンギング着信判定部を、リンギング検出部で検出された所定ヘルツの電話機鳴動信号の発生間隔が所定時間以上になると、リンギング着信応答条件の判定を開始するように構成すると好適である。
【００３３】
この構成によれば、リンギング着信判定部で判定する所定ヘルツの電話機鳴動信号の発生間隔の所定時間を、例えばナンバーディスプレイ呼出信号の休止時間と通常の電話機呼出信号の休止時間との間に設定することで、ナンバーディスプレイ呼出信号のうち前記所定ヘルツと同ヘルツ信号発生中ではリンギング着信の判定に入らないため、電話機鳴動信号の発生回数の誤カウントやナンバーディスプレイ対応電話機の発信先情報の信号受信制御時のオフフックやオンフック動作による誤判定を防止することができる。
【００３４】
また本発明において、ＮＣＵ選択信号検出部を、ノーリンギング通信で使用されるＮＲＳ選択信号のデータに対応したデータ形式のアナログ信号を検出するように構成すると共に、自端末のＮＲＳ選択信号データが設定されているＮＲＳ選択信号設定部と、前記ＮＣＵ選択信号検出部で検出された信号と前記ＮＲＳ選択信号設定部で設定されているデータとを比較し、それらが一致した場合にＮＣＵ応答信号出力部から着信応答信号を公衆回線側に送出させる複数呼出判定部とを有するように構成すると好適である。
【００３５】
この構成によれば、ＮＲＳ選択信号設定部のＮＲＳ選択信号データが同一値にならないように設定した複数台の回線端末装置を１回線に接続し、発信者側が通信したい回線端末装置に設定されているＮＲＳ選択信号データに対応したデータ形式のアナログ信号を送信すると、複数呼出判定部でデータが一致した回線端末装置だけが、ＮＣＵ応答信号出力部から着信応答信号を返し通信可能状態になる。従って同じ回線に複数台接続された回線端末装置の中から１台だけを選択してリンギング着信が可能になる。またノーリンギング通信用のＮＲＳ選択信号データを使うため、リンギング着信用としてのデータ設定項目の追加が不要になる。
【００３６】
【実施例】
以下、本発明の実施例について図面を用いて説明する。
【００３７】
（実施例１）
図１は、本発明の回線端末装置の実施例１を示すブロック構成図である。なお図３と同一番号のものは同じ名称と同じ機能を有する構成要素であり、その説明を省略する。
【００３８】
２１はＮＣＵ選択信号検出部で、公衆回線３を介して中央監視装置５から送信されるあらかじめ決められた形式のアナログ信号を検出する。２３はＮＣＵ応答信号出力部で、ＮＣＵ選択信号検出部２１で検出された信号が自端末の選択信号の場合は着信応答信号を返す。またこのＮＣＵ応答信号出力部２３は複数の応答信号を持ち、接続されている電話機６が公衆回線３をオフフックしてない場合に応答する信号（ＮＣＵ応答信号Ａ）と接続されている電話機６が公衆回線３をオフフックしている場合に応答する信号（ＮＣＵ応答信号Ｂ）との何れかの信号に変更して送出する。
【００３９】
２４はＮＣＵ第２選択信号検出部で、ＮＣＵ選択信号検出部２１で自端末の選択信号を検出した後、所定時間内（中央監視装置５で在宅者に対する対応処理を行える時間で数分位）に再度この選択信号が送信されてくるのを待ち、その選択信号を検出する。
【００４０】
２５は回線維持判定部で、ＮＣＵ選択信号検出部２１で自端末の選択信号を検出した後、所定時間内（ＮＣＵ第２選択信号検出部２４の所定時間と同じ時間）に電話機６がオンフックされるのを電話機状態検出部１９の出力で監視する。
【００４１】
所定時間を経過しても、ＮＣＵ第２選択信号検出部２４で再度あらかじめ決められた形式のアナログ信号が再度検出されなかったり、電話機状態検出部１９で電話機６のオンフックを検出できなければ、リンギング着信の判定を行う前の網制御部１４をオフフックさせた状態に戻して回線の切断を防止する。
【００４２】
２０は中央制御部で回線端末装置２６全体の制御を行う。
【００４３】
続いて実施例１の回線端末装置２６について説明する。
【００４４】
リンギング着信判定部７には、あらかじめリンギング着信応答条件として１６Ｈｚ電話機鳴動信号の検出回数が着信応答回数として設定されている。
【００４５】
リンギング通信は中央監視装置５からの発信によって開始され、発信を受けた交換局４では回線端末装置２６が接続されている公衆回線３に対して、極性反転に続いて３秒周期で１秒間１６Ｈｚ（所定ヘルツ）の電話機鳴動信号を重畳させたリンギング呼出信号を送出する。この１６Ｈｚ電話機鳴動信号により電話機６が鳴動する。
【００４６】
次に交換局４から２秒以内に１６Ｈｚ電話機鳴動信号が発生するので、回線端末装置２６のリンギング検出部１６は１６Ｈｚ電話機鳴動信号が到来している間はリンギング信号検出状態を出力する。
【００４７】
リンギング検出部１６で１６Ｈｚ電話機鳴動信号を検出すると、リンギング着信判定部７は着信発生回数をカウントをアップして、設定された着信応答条件が成立したかどうかを判定する。
【００４８】
交換局４からのリンギング呼出信号が継続し、リンギング着信判定部７で設定回数に達する前に在宅者により電話機６がオフフックされると、電話機６、公衆回線３及び交換局４と直流ループを形成して回線端末装置２６の回線が捕捉される。
【００４９】
回線が捕捉されると交換局４ではリンギング信号の送出を止め、中央監視装置５に対して回線が接続されたことを知らせる。
【００５０】
中央監視装置５では通信したい回線端末装置２６に対して公衆回線３を介してあらかじめ決められた形式のアナログ信号を送信する。
【００５１】
一方、中央制御部２０は、リンギング着信判定部７での着信応答条件判定中に、電話機状態検出部１９により電話機６のオフフックを検出するので、網制御部１４をハイインピーダンスにして、ＮＣＵ選択信号検出部２１でこのアナログ信号が検出されるのを監視する。
【００５２】
このアナログ信号がＮＣＵ選択信号検出部２１で検出されると、中央制御部２０は電話機６が公衆回線３をオフフックしているので、ＮＣＵ応答信号出力部２３からＮＣＵ応答信号Ｂを送信させる。
【００５３】
ＮＣＵ応答信号Ｂを受信した中央監視装置５では、回線端末装置２６がリンギング着信応答条件成立でオフフックしたのではなく、接続されている電話機６がオフフックしたことを認識できる。
【００５４】
中央監視装置５では電話機６をオフフックした人に対して公衆回線を通して、音声情報にてこれから回線端末装置２６あるいはデータ端末装置２との通信を行う旨を伝えた後、最初にアナログ信号を送信してから所定時間が経過する前に再度あらかじめ決められた形式のアナログ信号を送信する。
【００５５】
このアナログ信号はＮＣＵ第２選択信号検出部２４で再度検出される。
【００５６】
すると中央制御部２０は網制御部１４をオフフックさせ、電話機接続部２２により電話機６を公衆回線３から切り離す。
【００５７】
この時、電話機６の状態に関係なく、公衆回線３は電話機６によってはオフフックされてないので、ＮＣＵ応答信号出力部２３からはＮＣＵ応答信号Ａが送信され通信可能状態になる。
【００５８】
このＮＣＵ応答信号Ａを受信した中央監視装置５では回線端末装置２６が通信可能状態になったことを判断できるので、公衆回線３及び交換局４経由で回線端末装置２６あるいはデータ端末装置２に対してモデム信号形式の電文を送信して通信を行う。
【００５９】
このモデム信号形式の電文は送受信部１５で受信され、中央制御部２０で解析され電文に応じて通信が行われる。
【００６０】
次にＮＣＵ第２選択信号検出部２４で中央監視装置５からのアナログ信号を再度受信する前に、電話機６がオンフックされた場合についての動作説明を行う。
【００６１】
中央監視装置５からの発信により、交換局４からリンギング呼出信号が送出されると、１６Ｈｚ電話機鳴動信号により電話機６が鳴動する。
【００６２】
在宅者が電話機６をオフフックすると、中央監視装置５からあらかじめ決められた形式のアナログ信号が送信される。このアナログ信号がＮＣＵ選択信号検出部２１で検出されると、回線維持判定部２５は中央監視装置５からの発信で回線端末装置２６に対する通信であることを判断できるので所定時間は電話機状態検出部１９で電話機６がオンフックされないかを監視する。
【００６３】
この時、電話機６をオフフックした在宅者は中央監視装置５から送信されたアナログ信号を聞くことになり通常の電話ではないと判断して、すぐに電話機６をオンフックする。
【００６４】
すると電話機状態検出部１９で電話機６がオンフックされたことを検出するので、回線維持判定部２５は所定時間内であれば、回線が切断されないように網制御部１４ですぐさまオフフックしその後、電話機接続部２２により電話機６を公衆回線３から切り離し、ＮＣＵ応答信号出力部２３からＮＣＵ応答信号Ａを送信して通信可能状態になる。
【００６５】
従って中央監視装置５からリンギング着信にて通信を開始しようとして、回線端末装置２６が回線を捕捉する前に電話機６により回線が捕捉されても、中央監視装置５から再度あらかじめ決められた形式のアナログ信号を送信したり、電話機６がオンフックされたことを起動にして、回線端末装置２６を中央監視装置５と通信可能状態にすることができる。
【００６６】
また中央監視装置５ではなく、一般の人が回線端末装置２６を接続している回線に電話をかけても、ＮＣＵ選択信号検出部２１であらかじめ決められた形式のアナログ信号が検出されないので、通信可能状態に移行することはない。
【００６７】
（実施例２）
図２は、本発明の回線端末装置の実施例２を示すブロック構成図である。なお図１及び図３と同一番号のものは同じ名称と同じ機能を有する構成要素であり、その説明を省略する。
【００６８】
１０は極性反転検出部で、ノーリンギング着信時の起動となる公衆回線３の緩極性反転を検出する。
【００６９】
１１はＮＲ着信検出部で、極性反転検出部１０で緩極性反転を検出すると交換局４から公衆回線３を介して送出されるノーリンギング呼出信号に含まれるＮＲＳ選択信号を検出する。１７はＮＲＳ選択信号設定部で自端末のＮＲＳ選択信号が設定されている。
【００７０】
１２はＮＲ着信判定部で、ＮＲ着信検出部１１で検出したＮＲＳ選択信号とＮＲＳ選択信号設定部１７で設定されているデータとを比較し、自端末のノーリンギング着信の判定を行う。
【００７１】
１３はＮＲ着信応答部でＮＲ着信判定部１２でデータが一致すると、ノーリンギング着信応答信号としてＤＴＭＦ信号の＃を送信する。
【００７２】
２７はリンギング着信判定部で、リンギング検出部１６で検出される１６Ｈｚ鳴動信号の発生間隔が所定時間以上になると、リンギング着信応答条件の判定を開始する。
【００７３】
２９はＮＣＵ選択信号検出部で、この実施例２ではノーリンギング通信で使用されるＮＲＳ選択信号のデータに対応したデータ形式のアナログ信号を検出する。
【００７４】
このアナログ信号は中央監視装置５から送信される信号で、在宅者の声や留守番電話の音声あるいはＦＡＸの信号と判別しやすい信号を用いる。
【００７５】
この実施例２では中央監視装置５から、ＦＳＫ信号で、１００ｍｓの電文先頭マークが付加されたＪＩＳ７形式の「ＮＲＳ選択信号データ」コード１桁を１ブロックとして数秒間連続送信される。
【００７６】
２８は複数呼出判定部で、ＮＣＵ選択信号検出部２９で検出したアナログ信号を、ＮＲＳ選択信号設定部１７に設定されている自端末のＮＲＳ選択信号データと比較する。この複数呼出判定部２８では、ＮＣＵ選択信号検出部２９で前記ブロックを数回認識することでアナログ信号検出と判断し、誤判定を防ぐようにしている。
【００７７】
複数呼出判定部２８でデータが一致した場合、中央制御部３０はＮＣＵ応答信号出力部２３から公衆回線３側へ着信応答信号を送出させる。
【００７８】
次にこの回線端末装置３１のノーリンギング通信時の動作を図２を用いて説明する。
【００７９】
まずノーリンギング通信をする場合、回線端末装置３１のＮＲＳ選択信号設定部１７に対してはデータを設定しておく。
【００８０】
そしてノーリンギング通信の場合も中央監視装置５からの発信によって通信が開始される。
【００８１】
発信を受けた交換局４では、回線端末装置３１が接続されている公衆回線３に対して緩極性反転により電話機６を鳴動させることなく、回線端末装置３１に起動をかける。
【００８２】
この際、交換局４は公衆回線３の供給電圧をゆっくりと反転させることで電話機６が鳴動しないようにしている。
【００８３】
中央制御部３０は極性反転検出部１０で緩極性反転を検出すると、交換局４からのノーリンギング呼出信号であるＮＲＳ選択信号をＮＲ着信検出部１１で検出できるように網制御部１４をハイインピーダンスの状態にする。
【００８４】
交換局４から送出されたノーリンギング呼出信号がＮＲ着信検出部１１で検出されると、ＮＲ着信判定部１２ではＮＲＳ選択信号設定部１７に設定されている自端末呼出信号データと一致するかどうかを判定し、その結果を中央制御部３０へ知らせる。
【００８５】
自端末呼出信号データと一致した場合、中央制御部３０は網制御部１４を半閉結状態にして公衆回線３及び交換局４と直流ループを形成し、ノーリンギング着信に応答したことをＮＲ着信応答部１３から交換局４へＤＴＭＦ信号の＃を送出して知らせる。
【００８６】
交換局４はこのノーリンギング着信応答信号（ＤＴＭＦ信号の＃）を受信すると、中央監視装置５へ回線端末装置３１に接続できたことを知らせる。
【００８７】
接続の確認ができた中央監視装置５は、リンギング通信同様に公衆回線３及び交換局４経由で回線端末装置３１あるいはデータ端末装置２に対してモデム信号形式の電文を送信する。
【００８８】
以降、中央監視装置５と回線端末装置３１及びデータ端末装置２の間で電文の送受信を繰り返して通信を終了するのである。
【００８９】
続いてこの回線端末装置３１のリンギング着信による通信について説明する。
【００９０】
ここでリンギング着信判定部２７で判定する１６Ｈｚ鳴動信号発生間隔の所定時間を、ナンバーディスプレイ呼出信号の休止時間（０．５秒）と通常の電話機呼出信号の休止時間（２秒）の間になる１秒に設定する。
【００９１】
まず、需要家がナンバーディスプレイサービスの契約をした場合であるが、この場合は公衆回線３からは電話機用のリンギング呼出信号がくる前にナンバーディスプレイ用の呼出信号がくる。
【００９２】
ナンバーディスプレイ用の呼出信号中の１６Ｈｚ（電話機鳴動信号と同ヘルツ）信号がきている時は、リンギング着信判定部２７ではリンギング検出部１６で検出される１６Ｈｚ信号の発生間隔が０．５秒であるため、リンギング着信判定部２７はリンギング着信応答条件の判定に入らない。
【００９３】
そしてナンバーディスプレイサービスによる情報の取得が交換局４と電話機６の間で終了すると、電話機６を鳴動させるための通常のリンギング呼出信号がくる。
【００９４】
この時はリンギング着信判定部２７はリンギング検出部１６で検出される１６Ｈｚ信号の発生間隔が２秒であるため、リンギング着信応答条件の判定に入る。
【００９５】
従ってナンバーディスプレイサービス契約をした回線に、この回線端末装置３１を接続すると、リンギング着信判定時にナンバーディスプレイ呼出信号の１６Ｈｚ信号をリンギング着信判定部２７が誤ってカウントしたりしないし、電話機６が自動で行うナンバーディスプレイサービスによる発信先情報の信号受信制御のオフフックやオンフックにより回線維持判定部２５が誤作動したりしない。
【００９６】
つまり通常のリンギング呼出信号が発生時点より、正確にリンギング着信の判定を行うことができる。
【００９７】
なおここではナンバーディスプレイサービスの呼出信号と区別できるようにリンギング着信判定部２７の所定時間を１秒としたが、他のＮＴＴサービスである鳴り分けサービスやそれに相当する疑似鳴り分けサービスでの呼出信号でも１６Ｈｚ信号の発生間隔が異なる。
【００９８】
従って所定時間を適正な値に設定することで、いろいろな呼出信号に対応した回線端末装置を提供できる。
【００９９】
次に電話機６の位置に回線端末装置３１を接続していくと、同じ回線に対して回線端末装置を複数台接続することができる。
【０１００】
この時、ノーリンギング通信時の複数台接続と同じように、回線端末装置３１のＮＲＳ選択信号設定部１７のＮＲＳ選択信号データが同一値にならないように設定する。
【０１０１】
このように複数台の回線端末装置３１を１本の回線に接続した状態で、中央監視装置５から、ＮＲＳ選択信号のデータに対応したデータ形式のアナログ信号を送信すると、複数呼出判定部２８でデータが一致した回線端末装置だけが、ＮＣＵ応答信号出力部２３から着信応答信号を返すので、任意の回線端末装置を１台だけ選択した通信が可能になる。
【０１０２】
また従来から存在するノーリンギング通信用のＮＲＳ選択信号データを共用して使うため、複数台接続する場合にリンギング着信通信での専用データとしての設定項目の追加が不要になる。
【０１０３】
なおここでは需要家の公衆回線３を一般のアナログ公衆回線とした実施例を説明したが、需要家の公衆回線３がＩＳＤＮ回線の場合においてもターミナルアダプタのアナログポートに実施例１や実施例２の回線端末装置を接続したり、またＰＢＸの内線等にも接続可能で、リンギング通信においては同様の効果をあげることができる。
【０１０４】
また電話機６を在宅者がオフフックするのではなく、留守番電話対応やＦＡＸ付きの機種で、電話機自身の自動応答によるオフフックでも、本実施例の回線端末装置を接続していると中央監視装置５との間で回線を切断することなく、リンギング着信による通信が可能となる。
【０１０５】
【発明の効果】
以上のように本発明の回線端末装置によれば、次の効果が得られる。
【０１０６】
（１）請求項１記載の発明によると、リンギング検出部でリンギング呼び出し信号中の所定ヘルツの電話機鳴動信号を検出した後、リンギング着信判定部で着信応答条件が成立したと判定される前に回線端末装置に接続されている電話機がオフフックされても、公衆回線を介してあらかじめ決められた形式のアナログ信号が送出され、その信号をＮＣＵ選択信号検出部で検出し、それが自端末の選択信号と判定した場合は着信応答信号をＮＣＵ応答信号出力部から返すことで、それ以降は発信者との間で通信が可能な状態になる。つまり公衆回線を介してリンギング通信を行った場合、在宅者が電話機をオフフックしても、回線端末装置はリンギング着信可能な状態となる。
【０１０７】
（２）請求項２記載の発明によると、上記（１）の効果を奏しうる上に、ＮＣＵ選択信号検出部で自端末の選択信号を検出した後、電話機がオンフックされても、電話機状態検出部がオンフックを検出し、すぐに網制御部をオフフックするので、公衆回線の切断を防止することができる。また、回線端末装置に接続された電話機がオンフックされたことを回線維持判定部によって発信者に知らせることができるので、電話機をオフフックした人に対しての発信者側の配慮が不要になり、すぐに回線端末装置との通信に入れる判断が可能となる。
【０１０８】
（３）請求項３記載の発明によると、上記（１）の効果を奏しうる上に、ＮＣＵ選択信号検出部で自端末の選択信号を検出した後、ＮＣＵ第２選択信号検出部でこの選択信号を再度検出すると、網制御部をオフフックして、回線端末装置に接続された電話機を切り離す。従って留守番電話機やＦＡＸの自動応答機能が付いた電話機がこの回線端末装置に接続されていた場合で、リンギング着信に対して自動応答した場合でもこの電話機を切り離すことができ、電話機の自動応答による影響を受けずに、すぐに回線端末装置との通信に入れる。
【０１０９】
（４）請求項４記載の発明によると、上記（１）（２）（３）の効果を奏しうる上に、回線端末装置に接続されている電話機が公衆回線に対してオフフックしている状態とオフフックしてない状態により、ＮＣＵ応答信号出力部から送信する応答信号の種類を変えることで、発信者に回線端末装置に接続されている電話機の状態を伝えることができる。従って発信者側では回線端末装置との通信にすぐに入れるのか、電話機がオフフックされたことに対しての対応をすべきかの判断及び処理が即座に可能になる。
【０１１０】
（５）請求項５記載の発明によると、上記（１）の効果を奏しうる上に、例えば、リンギング着信判定部で所定ヘルツの鳴動信号発生間隔の所定時間をナンバーディスプレイ呼出信号の休止時間と通常の電話機呼出信号の休止時間との間に設定することで、リンギング着信判定時にナンバーディスプレイ呼出信号のうち前記所定ヘルツと同ヘルツの信号を誤ってカウントしたり、ナンバーディスプレイ対応電話機の発信先情報の信号受信制御のオフフックやオンフックを誤検出したりすることがなく、通常の電話機の鳴動信号発生時より、リンギング着信応答条件の判定を正確に行うことができる。
【０１１１】
（６）請求項６記載の発明によると、上記（１）の効果を奏しうる上に、ＮＲＳ選択信号設定部のＮＲＳ選択信号データが同一値にならないように設定した複数台の回線端末装置を１つの公衆回線に接続した状態で、発信者からＮＲＳ選択信号データに対応したデータ形式のアナログ信号が送信されると、複数呼出判定部でデータが一致した回線端末装置だけが、ＮＣＵ応答信号出力部から着信応答信号を返すことができる。従って同じ回線に接続された複数台の回線端末装置から１台だけ選択してリンギング着信が可能になる。またノーリンギング通信用のＮＲＳ選択信号データを使うため、リンギング着信用としての専用のデータ設定項目の追加も不要になる。
【図面の簡単な説明】
【図１】本発明の実施例１における回線端末装置のブロック構成図。
【図２】本発明の実施例２における回線端末装置のブロック構成図。
【図３】従来の回線端末装置のブロック構成図。
【符号の説明】
３  公衆回線
６  電話機
７  リンギング着信判定部
１４  網制御部
１６  リンギング検出部
１８  リンギング着信応答部
１９  電話機状態検出部
２１、２９  ＮＣＵ選択信号検出部
２２  電話機接続部
２３  ＮＣＵ応答信号出力部
２４  ＮＣＵ第２選択信号検出部
２５  回線維持判定部
２６、３１  回線端末装置
【図１】
0004472852.tif 000002
【図２】
0004472852.tif 000003
【図３】
0004472852.tif 000004